(57)【要約】【課題】摩擦抵抗を低減し得る指針式計器を提供する。【解決手段】表示面に所定情報を表示する表示装置２と、この表示装置２の前方に配置され表示面を透視可能とする透視部４１とこの透視部４１の周囲に配列された指標部４２とを有する指標板４と、透視部４１の周囲を指標部４２に沿って延びる柔軟部材５と、この柔軟部材５に固定される指針７と、柔軟部材５をその長手方向に移動させることにより指針７を指標部４２に沿って移動させる駆動装置８と、指標部４２に沿って設けられ柔軟部材５を移動案内するガイド体９とを備えており、柔軟部材５にガイド体９との接触面積を減少させる歯列５１からなる突出部を設けた。【選択図】図３
2005043287.tif 000002
【特許請求の範囲】
【請求項１】
表示面に所定情報を表示する表示装置と、
この表示装置の前方に配置され前記表示面を透視可能とする透視部とこの透視部の周囲に配列された指標部とを有する指標板と、
前記透視部の周囲を前記指標部に沿って延びる柔軟部材と、
この柔軟部材に固定される指針と、
前記柔軟部材をその長手方向に移動させることにより前記指針を前記指標部に沿って移動させる駆動装置と、
前記指標部に沿って設けられ前記柔軟部材を移動案内するガイド体とを備え、
前記柔軟部材または前記ガイド体の少なくとも一方に両者の接触面積を減少させる突出部を設けたことを特徴とする指針式計器。
【請求項２】
前記柔軟部材が歯列を備えたギヤードベルトからなり、前記歯列の頂部によって前記突出部を構成したことを特徴とする請求項１記載の指針式計器。
【発明の詳細な説明】
【技術分野】
【０００１】
本発明は、例えば自動車を代表とする車両に搭載される指針式計器に関し、特に指針の仮想回転中心を含む指標板の中央領域に、貫通部または透明部からなる透視部が形成され、この透視部を通じて指標板の背後に配置される液晶表示装置のごとき表示装置を視認させると共に、透視部の外周にて指針式表示を行う指針式計器（以降、便宜上、センターレスタイプの指針式計器と称する）に関する。
【背景技術】
【０００２】
この種センターレスタイプの指針式計器として、例えば下記特許文献１、２に記載されているものが知られている。特許文献１の指針式計器は、環状のギヤホイールに指針を固定し、この指針付き回転移動体を駆動装置を通じて回転させることにより、透視部の外周で指針式表示を行う構成である。一方、特許文献２に記載の指針式計器は、帯状の柔軟部材に指針を固定し、この指針付き帯状柔軟部材を駆動装置を通じて長手方向に移動させることにより、透視部の外周で指針式表示を行う構成であり、この場合、帯状柔軟部材はガイド体によって移動案内される。
【特許文献１】特開２０００−１３１０９９号公報
【特許文献２】欧州特許出願公開第０８９５５７９号明細書
【０００３】
このようにセンターレスタイプの指針式計器には、ギヤホイールによって指針を移動させるものと、帯状柔軟部材によって指針を移動させるものが知られているが、指針の移動経路が真円に固定されるギヤホイールタイプに対し、帯状柔軟部材タイプは、指針の移動経路を比較的自由に設定できるという利点を有している。
【発明の開示】
【発明が解決しようとする課題】
【０００４】
しかしながら、特許文献２記載の指針式計器では、帯状柔軟部材とガイド体の外壁とが面接触にて密着する構成であるため、摩擦抵抗が大きく、これにより例えば指針動作のスムーズ性の低下、ヒステリシスの増加に伴う指示精度の低下、駆動装置の大型化、消費電流の増加といった問題が生じる。
そこで本発明は、前述の課題に対して対処するため、柔軟部材を用いて指針を移動させるにあたり、摩擦抵抗を小さくし得る指針式計器の提供を目的とするものである。
【課題を解決するための手段】
【０００５】
本発明は、表示面に所定情報を表示する表示装置と、この表示装置の前方に配置され前記表示面を透視可能とする透視部とこの透視部の周囲に配列された指標部とを有する指標板と、前記透視部の周囲を前記指標部に沿って延びる柔軟部材と、この柔軟部材に固定される指針と、前記柔軟部材をその長手方向に移動させることにより前記指針を前記指標部に沿って移動させる駆動装置と、前記指標部に沿って設けられ前記柔軟部材を移動案内するガイド体とを備え、前記柔軟部材または前記ガイド体の少なくとも一方に両者の接触面積を減少させる突出部を設けたことを特徴とする。
【０００６】
また本発明は、前記柔軟部材が歯列を備えたギヤードベルトからなり、前記歯列の頂部によって前記突出部を構成したことを特徴とする。
【発明の効果】
【０００７】
本発明によれば、初期の目的を達成でき、柔軟部材の摩擦抵抗を小さくすることが可能な指針式計器を提供できる。
【発明を実施するための最良の形態】
【０００８】
以下、図面に基づいて本発明による指針式計器の実施形態について説明する。図１〜図５は、本発明の第１の実施形態を示すもので、図１は本実施形態による指針式計器の正面図、図２は図１のＡ−Ａ断面図、図３は図１中、被覆パネルとガイド体の一部を取り外した際の正面図で柔軟部材の一部を拡大して示す図、図４は図３中、指針付近の拡大正面図、図５はホルダと柔軟部材との結合状態を示す要部斜視図である。
【０００９】
本実施形態による指針式計器は、図１〜図３に示すように、回路基板１と、この回路基板１上に配置される表示装置２と、この表示装置２の周囲を覆うように配置されるケース体３と、このケース体３の前方に配置される指標板４と、この指標板４の前方に位置して引き回される柔軟部材５と、この柔軟部材５に固定されるホルダー６と、このホルダー６を介して柔軟部材５に固定される指針７と、柔軟部材５をその長手方向に移動させることで指針７を移動させる駆動装置８と、柔軟部材５を移動案内するガイド体９と、このガイド体９の前方側を含む所要領域を覆う被覆パネル１０とを備える。
【００１０】
回路基板１は、例えば硬質の回路基板からなり、表示装置４や駆動装置６を作動させる図示しない駆動制御回路が搭載されている。
【００１１】
表示装置２は、例えばＴＦＴ（薄膜トランジスタ）型の液晶表示素子または有機電界発光素子からなる表示パネルを枠体内に組み込んでなり、表示パネルの表示面が観察者に臨むように、回路基板９上に配置されている。なお表示装置２の表示情報は任意であるが、一例として例えば走行距離情報、ナビゲーション情報、シフトポジション情報、外気温情報の他、各種映像情報が挙げられる。
【００１２】
ケース体３は、合成樹脂からなり、表示装置２の周囲を覆う箇所で指標板４を背後から支持している。
【００１３】
指標板４は、例えば円形の貫通孔（貫通部）からなる透視部４１と、この透視部４１の周囲を取り巻くように指針７の移動経路に沿って円弧状に配列された文字や目盛等の指標部４２とを備えている。これら指標部４２は、概略円環形状を有する透光性合成樹脂板からなる基材上にスクリーン印刷等の手段により形成されている。なお透視部４は貫通部ではなく、透明部であってもよい。
【００１４】
柔軟部材５は、例えばガラス繊維を織り込んだ布材を心材（インナー）とし、その周囲にゴム系材料からなるアウターを型成形することにより複数の凹凸でなる歯列５１を施した無端状のギヤードベルト（帯状体）からなり、それ自体、柔軟性は有するが、伸縮性は持たないようになっている。
【００１５】
この柔軟部材５は、その一部が透視部４１の周囲を指標部４２に沿って延びるように引き回されると共に、他の一部は駆動装置８に連動する駆動歯車（後述する）及び複数個のテンションローラＲに架設されている。
【００１６】
ホルダー６は、一対の対向壁６１，６２と底壁６３を有する断面略「コ」字状の合成樹脂部材からなり、図４，図５に詳しく示すように、各対向壁６１，６２間で柔軟部材５を挟むように柔軟部材５に固定されている。一方の対向壁６１の先端側には、柔軟部材５を抜け止めするフック部６４が形成され、他方の対向壁６２の柔軟部材５側には、歯列５１（凹部）に嵌入される一対の位置決め部６５が形成されている。また対向壁６２の柔軟部材５とは反対側には、ガイド体９の後述するガイド壁部に当接し、指針７を指標部４２の中心に向けるための一対の突起部６６が形成され、これら突起部６６どうしの中間位置に指針７が固定されている。
【００１７】
指針７は、合成樹脂からなり、ホルダー６の対向壁６２に溶着等の手段で固定され、指標板４上を透視部４１側に向けて延びている。
【００１８】
駆動装置８は、例えばステッピングモータからなり、これの駆動軸８１には、柔軟部材５の歯列５１と連結された駆動歯車Ｇが装着されており、駆動軸８１の回転により駆動歯車Ｇを回転させ、これと連結された柔軟部材５をその長手方向に移動させることにより指針７を指標部４２に沿って移動させるように構成されている。
【００１９】
ガイド体９は、ともに全体形状が指標部４２の配列形状に沿った円弧状であって断面形状が凹形の第１，第２のガイド部材９１，９２を組み合わせてなり、これら各ガイド部材９１，９２は、透視部４１に近い内側に位置する第１のガイド壁９３と、第１のガイド壁９３の外側に位置する第２のガイド壁９４とを有している。
【００２０】
各ガイド壁９３，９４のうち、ガイド壁９３のガイド壁９４に対向する側の壁面は、ホルダー６の突起部６６及び柔軟部材５の歯列５１と直接接触し、指針７及び柔軟部材５を移動案内し、透視部４１の外周における指針７による指標部４２の指示を可能にしている。
【００２１】
ここで、柔軟部材５と第１のガイド壁９３との関係に注目すると、柔軟部材５はその歯列５１が第１のガイド壁９３側を向くように配置されており、歯列５１の頂部がガイド壁９３に点接触するように構成されている。
【００２２】
被覆パネル１０は、透視部４１、指標部４２、指針７のそれぞれを露出し、それ以外の領域を遮蔽するよう配置されている。
【００２３】
以上のように本実施形態によれば、表示面に所定情報を表示する表示装置２と、この表示装置２の前方に配置され表示面を透視可能とする透視部４１とこの透視部４１の周囲に配列された指標部４２とを有する指標板４と、透視部４１の周囲を指標部４２に沿って延びる柔軟部材５と、この柔軟部材５に固定される指針７と、柔軟部材５をその長手方向に移動させることにより指針７を指標部４２に沿って移動させる駆動装置８と、指標部４２に沿って設けられ柔軟部材５を移動案内するガイド体９とを備えており、柔軟部材５にガイド体９との接触面積を減少させる歯列５１からなる突出部を設けたことにより、柔軟部材５の摩擦抵抗を低減することができ、摩擦抵抗による各種問題を解消または軽減することができる。
【００２４】
また本実施形態によれば、柔軟部材５が歯列５１を備えたギヤードベルトからなり、歯列５１の頂部によって突出部を構成したことにより、専用の突出部を形成する必要がなく、構成を簡素化することができる。
【００２５】
なお本実施形態では、歯列５１を柔軟部材５の片側だけに形成したが、両側、すなわち第１のガイド壁９３側及び第２のガイド壁９４側に設けてもよい。
【００２６】
また本実施形態では、柔軟部材５として、ギヤードベルトを採用したが、通常のフラットベルトを用いる場合は、ガイド体９と部分接触する構造体を固定したり、または形成することにより、突出部を設けることもが可能である。
【００２７】
図６は本発明の第２の実施形態を示す概略正面図であり、本実施形態では、ガイド体９（第１のガイド壁９３）の柔軟部材５と対向する側に複数個の突出部９５を設け、この突出部９５を柔軟部材５と対向させることにより、摩擦抵抗を低減させている。なおこの場合、柔軟部材５の第１のガイド壁９３との対向側はフラットに形成されている。またホルダ６には、図示しないが、突出部９５を通過させる溝が形成されている。
【００２８】
なお前記各実施形態では、指針７の移動経路を指標部４２の配列形状に対応させて、略真円に沿った形状としたが、柔軟部材５を用いて指針７を移動させることにより、指針７の移動経路は、自由に設定が可能である。
【図面の簡単な説明】
【００２９】
【図１】本発明の第１の実施形態による指針式計器の正面図である。
【図２】図１のＡ−Ａ断面図である。
【図３】図１中、被覆パネルとガイド体の一部を取り外した際の正面図で、柔軟部材の一部を拡大して示す図である。
【図４】図３中、指針付近の拡大正面図である。
【図５】同実施形態にて採用されるホルダと柔軟部材との結合状態を示す要部斜視図である。
【図６】本発明の第２の実施形態を示す概略正面図である。
【符号の説明】
【００３０】
１  回路基板
２  表示装置
３  ケース体
４  指標板
５  柔軟部材
６  ホルダー
７  指針
８  駆動装置
９  ガイド体
１０  被覆パネル
４１  透視部
４２  指標部
５１  歯列
【図１】
2005043287.tif 000003
【図２】
2005043287.tif 000004
【図３】
2005043287.tif 000005
【図４】
2005043287.tif 000006
【図５】
2005043287.tif 000007
【図６】
2005043287.tif 000008